(57)【特許請求の範囲】
【請求項１】
三枚の紙片が折り部を介して連接され、該紙片の折り合わせにより葉書が形成される葉書用シートであって、
前記シートにおける三枚の紙片内の一端側に位置する紙片であり、折り合わせたときの対向面に、アンテナとこのアンテナに実装されたＩＣチップとからなる非接触型データ送受信体を有するとともに、前記非接触型データ送受信体を囲むように設けられた切り取り部を有する紙片と、
前記シートにおける三枚の紙片内の中央に位置する紙片であり、非接触型データ送受信体を有する前記紙片に折り部を介して連接していて、前記紙片に重ね合わせたときの前記ＩＣチップが実装された部分に対応する位置に打ち抜き孔からなる緩衝部を有するとともに、前記紙片の切り取り部に重なる位置に切り取り部を有する紙片と、
前記シートにおける前記非接触型データ送受信体を有する紙片とは反対側に位置する紙片であり、緩衝部を有する前記紙片に折り部を介して連接していて、この緩衝部を有する前記紙片に重ね合わせた際に緩衝部を有する前記紙片での前記切り取り部に重なる位置に切り取り部を有する紙片と
からなることを特徴とする葉書用シート。
【請求項２】
請求項１に記載の葉書用シートをジグザグ状に折り畳んで上記緩衝部を有する紙片が中位となるように三枚の紙片が重ね合されて圧着してなる葉書。
【発明の詳細な説明】
【０００１】
【発明の属する技術分野】
本発明は、葉書用シート、とくに非接触型データ送受信体の送付に適した葉書が得られるようにした葉書用シートとこの葉書用シートからなる葉書に関するものである。
【０００２】
【発明が解決しようとする課題】
非接触型ＩＣタグなどのように、非接触状態でデータの送受信を行ってデータの記録、消去などが行なえる情報記録メディア（ＲＦ−ＩＤ（Ｒａｄｉｏ  Ｆｒｅｑｕｅｎｃｙ  ＩＤｅｎｔｉｆｉｃａｔｉｏｎ））の用途に多く用いられる非接触型データ送受信体は、通常、基材の上に導電材であるアンテナを配置し、そのアンテナにＩＣチップを実装した構成を有していて、リーダーライターから所要の空間内に位置する非接触型データ送受信体と前記リーダーライターとの間での非接触状態で情報のやり取りが行なえるものであり、予め非接触型データ送受信体に記憶されている情報をリーダーライターで読み取ったり、リーダーライターにより非接触型データ送受信体の情報を書き換え更新したりできるように設けられている。このように非接触型データ送受信体では離れたリーダーライターとの間で情報のやり取りが行なえることから、例えば、予め顧客に非接触型データ送受信体を送付し、商品展示会場で顧客が前記非接触型データ送受信体を携帯すれば、入出管理などが行なえるものとなっている。
【０００３】
上記非接触型データ送受信体では基材をプラスチック製の板材としていて、送受信体全体の形状がカード状となっている。そのため、非接触型データ送受信体の送付に際しては封筒にこの送受信体を入れて郵送するという方法が採られている。しかしながら、郵送する顧客などが多数存在するような場合には送付に係るコストが高くなるという問題が生じている。また、送付作業に際しては封筒の宛名と送受信体上に記載されている情報との対応を目視にて確認する必要も生じており、送付作業が煩雑なものとなっている。
そこで本発明は上記事情に鑑み、葉書形態にて非接触型データ送受信体を送付することができるようにすることを課題とし、非接触型データ送受信体の送付に係る費用を低減させるとともに、送付作業を簡単なものとすることを目的とする。
【０００４】
【課題を解決するための手段】
本発明は上記課題を考慮してなされたもので、三枚の紙片が折り部を介して連接され、該紙片の折り合わせにより葉書が形成される葉書用シートであって、
前記シートにおける三枚の紙片内の一端側に位置する紙片であり、折り合わせたときの対向面に、アンテナとこのアンテナに実装されたＩＣチップとからなる非接触型データ送受信体を有するとともに、前記非接触型データ送受信体を囲むように設けられた切り取り部を有する紙片と、
前記シートにおける三枚の紙片内の中央に位置する紙片であり、非接触型データ送受信体を有する前記紙片に折り部を介して連接していて、前記紙片に重ね合わせたときの前記ＩＣチップが実装された部分に対応する位置に打ち抜き孔からなる緩衝部を有するとともに、前記紙片の切り取り部に重なる位置に切り取り部を有する紙片と、
前記シートにおける前記非接触型データ送受信体を有する紙片とは反対側に位置する紙片であり、緩衝部を有する前記紙片に折り部を介して連接していて、この緩衝部を有する前記紙片に重ね合わせた際に緩衝部を有する前記紙片での前記切り取り部に重なる位置に切り取り部を有する紙片と
からなることを特徴とする葉書用シートを提供して、上記課題を解消するものである。
また、もう一つの発明は、葉書用シートをジグザグ状に折り畳んで上記緩衝部を有する紙片が中位となるように三枚の紙片が重ね合されて圧着してなる葉書であり、この葉書を提供して、上記課題を解消するものである。
【０００５】
つぎに本発明に至るに際して検討した検討技術を図１、図２に基づいて説明する。
図１は第一の検討技術を示し、図中１はそれぞれ紙素材からなる紙片２と紙片３とが折り部４を介して連接されている葉書用シートであり、該葉書用シート１において折り部４から紙片２と紙片３とを折り合わせて貼り合わせることで葉書となるものである。図２に示すように、重ね合わせ時に葉書の外面となる面の内、紙片２側にあっては宛名住所を記載する葉書表面５となり、紙片３側にあっては、連絡事項などの通知情報を記載する葉書裏面６となる。
【０００６】
また、図示されているように、紙片２、３を重ね合わせたときの対向面のうち、紙片２の対向面２ａには、紙片２を基材として配置されたアンテナ７とＩＣチップ８とからなる非接触型データ送受信体９が位置していて、前記対向面２ａに導電ペーストを所要のアンテナパターンで印刷してアンテナ７が形成され、そのアンテナ７にＩＣチップ８を実装することによって非接触型データ送受信体９を設けている。
そして、上記紙片２、３の対向面２ａ、３ａそれぞれに、或いは一方に接着剤を塗布して折り合わせて接着することにより、前記紙片２、３を重ね合わせてなる葉書が得られるものであり、紙片２、３の重ね合わせをしたときには対向面３ａで上記非接触型データ送受信体９が隠蔽されるようにしている。
【０００７】
上記紙片２に設けるアンテナとしては所定のパターンとした金属線を貼り付けたり、所定のパターンで蒸着させたりして形成することも可能ではあるが、紙材である紙片２に対しては印刷手法を用いてアンテナを形成するのが効率的である。アンテナを印刷形成するために使用する導電性ペーストは特に限定されるものではなく、各種のものが使用できる。
【０００８】
紙片２、３の貼り合わせは上述したように対向面に設けた接着剤を介して行われるものであり、図２に示すように折り合わせた状態の葉書用シート１をプレスローラ１０に通して圧着することで葉書が得られる。葉書用シート１では、前記圧着に際してＩＣチップ８に紙片圧着時の圧着力が加わらないように図られているものであって、対向面３ａのＩＣチップ８に対応する箇所には、予め打ち抜き孔からなる緩衝部１１が設けられており、紙片２、３を重ね合わせたときＩＣチップ８が前記緩衝部１１に対応し、圧着力にて破壊されないようにしている。
また、ＩＣチップ自体の位置は図１に示されているように、葉書表面５での筆記対象領域以外の位置、例えば郵便番号記入欄横などに設定されていて、宛名情報を記載するときの筆圧がＩＣチップ７に作用しないようにしている。
【０００９】
図中１２は紙片２の非接触型データ送受信体９を囲むようにして設けられたミシン目からなる切り取り部である。そして、もう一方の紙片３においても重ね合わせたときに紙片２の切り取り部１２の位置と重なるようにした切り取り部１２が設けられており、上述したように葉書が得られた後、前記切り取り部１２からカード状とした非接触型データ送受信体９を分離できるように設けられており、紙片２、３中の切り取り部１２で囲まれた領域の紙材で保護されたカード物として取り扱えるようにしている。
【００１０】
【発明の実施の形態】
つぎに本発明を図３に示す実施の形態に基づいて詳細に説明する。
上記検討技術における葉書用シートは、二枚の紙片２、３を有してその二枚の紙片２、３の重ね合わせで葉書が得られるようにしたものとして示した。そして、本発明は図３に示すように、三枚の紙片２、３、１３が折り部４を連接したものであり、上述したように非接触型データ送受信体９を有した紙片２とその紙片２に折り部４を介して連接されている紙片３とを折り重ね、さらに紙片１３を紙片３に折り重ねるようにして、即ち、葉書用シート１をジグザグ状に折り畳んでから圧着することで葉書が得られるようにしたものである。
【００１１】
（削除）
【００１２】
上記実施の例における葉書用シートにおいて紙片２に対して予め宛名情報を記載することが可能であって、非接触型データ送受信体９を有する葉書用シート１の製造過程の所要の時点でその非接触型データ送受信体９に宛名情報を入力するようにし、葉書が形成される前や葉書が形成された後に、その非接触型データ送受信体９から宛名情報を読み込み、その情報に基づいて宛名情報を紙片２の葉書表面５に出力すればよい。このように葉書自体が所持する情報に基づいて宛名情報を葉書表面に記載するため、マッチングミスを防止することが簡単に行なえるものとなる。
【００１３】
【発明の効果】
以上説明したように、本発明によれば、この葉書用シートから非接触型データ送受信体を有する葉書を得て送付することが可能となり、非接触型データ送受信体の送付コストを大幅に低減させることができるようになる。そして、葉書大の紙片に対してアンテナを設けているため、アンテナの設計自由度が高く、大きなアンテナを安価に形成できるようになる。そして、葉書の形成に際して非拙速型データ送受信体から予め記憶させていた宛名情報を読み取り、その情報に基づいて葉書の表面に宛名情報を印字、印刷でき、葉書送付の手間を大幅に軽減できるようになる。
【図面の簡単な説明】
【図１】検討技術の葉書用シートの一例を示すもので、（ア）は一方の片面を示す説明図、（イ）は他方の片面を示す説明図である。
【図２】検討技術の葉書用シートの紙片を圧着する状態を示す説明図である。
【図３】本発明の実施の例を示すもので、（ア）は一方の片面を示す説明図、（イ）は他方の片面を示す説明図である。
【符号の説明】
１…葉書用シート
２、３、１３、１４…紙片
７…アンテナ
８…ＩＣチップ
９…非接触型データ送受信体
１１…緩衝部
１２…切り取り部
【図１】
0004582741.tif 000002
【図２】
0004582741.tif 000003
【図３】
0004582741.tif 000004